(57)【要約】【課題】筐体の表面に取り付けた軟質樹脂が剥がれるのを防止して、個々の使用者にとって持ちやすい表面形状が得られる携帯端末を提供する。【解決手段】筐体２０の表面である側面２０２に自由形状樹脂製の樹脂部３０を露出して取り付けたので、樹脂部３０が使用者の手の形状に応じて変形して、持ちやすい側面２０２形状が得られる。また、側面２０２に露出する樹脂部３０の本体３１に一体的に設けられている腕部３２が、筐体２０の内部に設けられている孔部２６に挿通され、腕部３２に設けられている係合部３３が孔部２６に係合する。このため、樹脂部３０が筐体２０の側面２０２から剥がれるのを防止できる。【選択図】図２
2013123170.tif 000002
【特許請求の範囲】
【請求項１】
筐体と、
前記筐体の表面に設けられ、自由形状樹脂製の樹脂部と、を備え、
前記樹脂部が、前記筐体の前記表面に露出する本体と、
前記本体に一体成形され、前記筐体に設けられた孔部に挿通される腕部と、
前記腕部に設けられ、前記筐体の内部において前記腕部が前記孔部から前記筐体の内面に対して引抜不可能に係合する係合部と、を有する携帯端末。
【請求項２】
請求項１に記載の携帯端末において、
前記筐体が固定部材により相互固定されるケースおよびカバーを有するとともに、
前記孔部が前記ケースおよび前記カバーの境界線に沿って設けられ、
前記腕部が前記固定部材により前記ケースおよび前記カバーに挟持される携帯端末。
【請求項３】
請求項１または請求項２に記載の携帯端末において、
前記筐体が前記本体を収容する凹部を有し、
前記本体における端面高さ寸法よりも前記凹部の深さ寸法が大きい携帯端末。
【発明の詳細な説明】
【技術分野】
【０００１】
本発明は、筐体の外側面に軟質の樹脂を貼付けた携帯端末に関するものである。
【背景技術】
【０００２】
従来より、使用者が持ちやすく使いやすくするために、筐体の外側面に軟質の樹脂を貼付けた携帯端末が知られている（例えば、特許文献１参照）。
図６に示すように、特許文献１に記載の携帯端末１００は、筐体１０１を有しており、前面上部には受話部であるスピーカ１０２が設けられ、前面下部には送話部であるマイク１０３が設けられている。
また、筐体１０１のスピーカ１０２の下方には、文字等を表示する液晶表示部１０４が設けられ、この液晶表示部１０４の下方には、テンキーなどの操作キーが配置された操作部１０５が設けられている。さらに、筐体１０１の上部には、電波を送受信するアンテナ１０６が設けられている。
【０００３】
筐体１０１の背面、両側面および前面の両端部には、スキン層１０７が形成されている。スキン層１０７が形成されている部位は、この携帯端末１００を把持する際に、掌および指が触れる部分であり、筐体１０１の表面上に形成されている。
スキン層１０７は、常温で塑性変形可能な樹脂材料から形成されており、指などで軽く押さえることで簡単に変形する。
これにより、個々の使用者の手の形状に合った凹凸がスキン層１０７に形成されるので、ホールド性が改善される。
【先行技術文献】
【特許文献】
【０００４】
【特許文献１】特開２００２−２６１８９９号公報（第１図）
【発明の概要】
【発明が解決しようとする課題】
【０００５】
しかしながら、前述した特許文献１に記載の従来の携帯端末１００においては、スキン層１０７を構成する軟質樹脂は、筐体１０１の表面に貼付けられただけであり、剥がれる虞があるという問題があった。
【０００６】
本発明は、従来の問題を解決するためになされたもので、筐体の表面に取り付けた軟質樹脂が剥がれるのを防止して、個々の使用者にとって持ちやすい表面形状が得られる携帯端末を提供することを目的とする。
【課題を解決するための手段】
【０００７】
本発明の携帯端末は、筐体と、前記筐体の表面に設けられ、自由形状樹脂製の樹脂部と、を備え、前記樹脂部が、前記筐体の前記表面に露出する本体と、前記本体に一体成形され、前記筐体に設けられた孔部に挿通される腕部と、前記腕部に設けられ、前記筐体の内部において前記腕部が前記孔部から前記筐体の内面に対して引抜不可能に係合する係合部と、を有するものである。
【０００８】
また、本発明の携帯端末は、前記筐体が固定部材により相互固定されるケースおよびカバーを有するとともに、前記孔部が前記ケースおよび前記カバーの境界線に沿って設けられ、前記腕部が前記固定部材により前記ケースおよび前記カバーに挟持されるものである。
【０００９】
さらに、本発明の携帯端末は、前記筐体が前記本体を収容する凹部を有し、前記本体における端面高さ寸法よりも前記凹部の深さ寸法が大きいものである。
【発明の効果】
【００１０】
本発明は、筐体の表面に自由形状樹脂製の樹脂部を露出して取り付けたので、樹脂部が使用者の手の形状に応じて変形し、個々の使用者にとって持ちやすい表面形状が得られる。また、表面に露出する樹脂部の本体に一体的に設けられている腕部が、筐体の内部に設けられている孔部に挿通され、腕部に設けられている係合部が孔部に係合するので、樹脂部が筐体の表面から剥がれるのを防止できるという効果を有する携帯端末を提供できる。
【図面の簡単な説明】
【００１１】
【図１】本発明に係る第１実施形態の携帯端末の斜視図
【図２】図１中ＩＩ−ＩＩ位置の断面図
【図３】樹脂部の断面図
【図４】膨張前の樹脂部と孔部の関係を示す断面図
【図５】本発明に係る第２実施形態の携帯端末における図２相当の断面図
【図６】従来の携帯端末の斜視図
【発明を実施するための形態】
【００１２】
（第１実施形態）
以下、本発明に係る第１実施形態の携帯端末について、図面を用いて説明する。
図１に示すように、本発明に係る第１実施形態の携帯端末１０としては、例えばスマートフォンを用いることができ、矩形箱状の筐体２０を有する。
なお、以下の説明において、使用者が、操作部を通常操作する状態において上方となる側を上（図１中矢印参照）と云い、使用状態において下方となる側を下と云うこととする。
【００１３】
図２に示すように、筐体２０は、上方に開口した箱状のケース２１と、ケース２１の開口を覆うカバー２２とを有する。
ケース２１は、矩形状の底面２１１と、底面２１１の外周部に沿って上方に向かって設けられたケース縦壁２３を有する。
【００１４】
カバー２２は、上面２２２と、上面２２２の外周部に沿って下方に向かって設けられたカバー縦壁２４を有する。
図１に示すように、カバー２２は、例えば、上面２２２に、表示部および操作部を兼ね備えたタッチパネル２２１を有する。また、タッチパネル２２１の前側には、受話部であるスピーカ２２３が設けられており、タッチパネル２２１の後側には、送話部であるマイク２２４が設けられている。
【００１５】
図２に示すように、ケース２１とカバー２２とを組み合わせて、筐体２０の内部空間２０１が形成されている。ケース２１とカバー２２は、固定部材である固定ねじ２５により接続されており、ケース縦壁２３のケース内側壁２３１の上面と、カバー縦壁２４のカバー内側壁２４１の下面が当接して筐体２０を一体化する。
【００１６】
ケース２１とカバー２２との境界であるケース縦壁２３とカバー縦壁２４との境界には、孔部２６が設けられている。
孔部２６は、ケース内側壁２３１およびカバー内側壁２４１の外側に設けられており、迷路（ラビリンス）のような形状をしている。
孔部２６は、筐体２０の表面としての側面２０２であるケース縦壁２３の外側面に設けられたケース外側凹部２３２と、カバー縦壁２４の外側面に設けられたカバー外側凹部２４２とから形成される凹部としての本体収容部２６１を有する。
【００１７】
また、孔部２６は、ケース内側壁２３１の外側に面して設けられているケース側係止凹部２３３と、カバー内側壁２４１の外側に面して設けられているカバー側係止凹部２４３とから形成される係止凹部２６２を有する。係止凹部２６２は、ケース内側壁２３１およびカバー内側壁２４１に連続して延びる。
そして、本体収容部２６１と係止凹部２６２との間を、クランク状に屈曲した腕部収容部２６３で連結する。
従って、孔部２６は、ケース２１とカバー２２との境界において、筐体２０の内側から外側に向かって、係止凹部２６２、腕部収容部２６３、本体収容部２６１を有することになり、孔部２６に沿って、ケース２１とカバー２２は分離可能である。
【００１８】
図１に示すように、筐体２０の側面２０２には、自由形状樹脂製の樹脂部３０を有する。
ここで、「自由形状樹脂」とは、所定の温度以上（例えば、６０℃以上）の温度で柔らかくなり、冷えると固まる樹脂を意味する。自由形状樹脂は、一度固まっても、再度所定の温度以上に昇温すれば軟らかくなる。このため、何度でも再加工でき、くりかえし使用可能である。
また、固まった状態では、普通のプラスチックとまったく同様で、弾性を有する。さらに、色の設定も自由である。
【００１９】
図２および図３に示すように、樹脂部３０は、孔部２６の本体収容部２６１に収容され、筐体２０の側面２０２に露出する本体３１と、孔部２６の腕部収容部２６３に収容される腕部３２を有する。
ここでは、腕部３２は、ケース２１およびカバー２２の取付方向（上下方向）に沿った部分と、取付方向に直交する部分から構成されて、容易に取り付けることができるようになっている。
そして、腕部３２の先端（図２において右端）には、係止凹部２６２に収容されて、樹脂部３０が脱落しないように係止する係合部３３が設けられている。
【００２０】
図４に示すように、樹脂部３０を孔部２６に取り付ける際には、樹脂部３０を孔部２６の大きさよりも若干小さめに作成しておき、孔部２６に挿入したさいに隙間ができるようにしておく。そして、樹脂部３０を所定温度（例えば、６０℃）まで昇温し、樹脂部３０を膨張させて孔部２６一杯に充填する。
樹脂部３０が膨張した後は、温度が下がっても収縮しないで、孔部２６に充填された状態を保持する。
なお、図２に示すように、本体収容部２６１の深さ寸法Ｈ１は、充填後における樹脂部３０の本体３１における端面高さ寸法Ｈ２よりも大きく設定されている。
【００２１】
以上、説明した本発明に係る第１実施形態の携帯端末１０によれば、筐体２０の側面２０２に自由形状樹脂製の樹脂部３０を露出して取り付けたので、樹脂部３０が使用者の手の形状に応じて変形して、持ちやすい側面２０２形状が得られる。
また、側面２０２に露出する樹脂部３０の本体３１に一体的に設けられている腕部３２が、筐体２０の内部に設けられている孔部２６に挿通され、腕部３２に設けられている係合部３３が係止凹部２６２に係合する。
このため、樹脂部３０が筐体２０の側面２０２から剥がれるのを防止できる。
【００２２】
また、筐体２０の内部に設けた孔部２６が、筐体２０を構成するケース２１とカバー２２の境界線に沿って設けられており、固定ねじ２５でケース２１とカバー２２とを接続すると、樹脂部３０の腕部３２はケース２１とカバー２２により挟持される。
これにより、樹脂部３０が筐体２０から外れるのを防止できる。
また、樹脂部３０を構成する自由形状樹脂が、所定温度まで昇温されると膨張するので、ケース２１とカバー２２との境界線に沿って密着することになり、防水性を得ることができる。
【００２３】
さらに、筐体２０は、樹脂部３０の本体３１を収容する本体収容部２６１を有しており、本体収容部２６１の深さ寸法Ｈ１が、樹脂部３０の本体３１の端面高さＨ２よりも大きいので、樹脂部３０がめくれたり、破損するのを防止できる。
【００２４】
（第２実施形態）
次に、本発明に係る第２実施形態の携帯端末を図３に示す。
なお、前述した第１実施形態に係る携帯端末１０と共通する部位には同じ符号を付して、重複する説明を省略することとする。
前述した第１実施形態の携帯端末１０では、筐体２０の側面２０２に、ケース外側凹部２３２およびカバー外側凹部２４２からなる凹部として本体収容部２６１を設けた。一方、図５に示すように、第２実施形態の携帯端末１０Ｂにおいては、ケース２１Ｂおよびカバー２２Ｂから構成される筐体２０Ｂに凹部を設けない。
【００２５】
すなわち、孔部２６Ｂは、腕部収容部２６３および係止凹部２６２から構成される。
このため、樹脂部３０の本体３１の全体が、筐体２０Ｂの側面２０２Ｂから外側に露出している。
その他の構成は、前述した第１実施形態の携帯端末１０と同様である。
【００２６】
以上、説明した本発明に係る第２実施形態の携帯端末１０Ｂによれば、筐体２０Ｂの側面２０２Ｂに凹部を設けないので、ケース２１Ｂおよびカバー２２Ｂの製作を容易にすることができる。
【００２７】
なお、本発明の携帯端末は、前述した各実施形態に限定されるものでなく、適宜な変形，改良等が可能である。
例えば、前述した各実施形態においては、樹脂部３０を設ける筐体２０，２０Ｂの表面として、筐体２０，２０Ｂにおいて互いに離れる方向を向く一対の側面２０２，２０２Ｂに設けた場合を例示したが、本発明はこれ以外の部位にも適用可能である。
例えば、携帯端末を使用する際に手のひらに当たる筐体の裏面に設けることも可能である。
【産業上の利用可能性】
【００２８】
以上のように、本発明にかかる携帯端末は、筐体の表面に自由形状樹脂製の樹脂部を露出して取り付けたので、樹脂部が使用者の手の形状に応じて変形して、持ちやすい表面形状が得られる。また、表面に露出する樹脂部の本体に設けられている腕部が、筐体の内部に設けられている孔部に挿通され、腕部に設けられている係合部が孔部に係合するので、樹脂部が筐体の表面から剥がれるのを防止できるという効果を有し、筐体の外側面に軟質の樹脂を貼付けた携帯端末等として有用である。
【符号の説明】
【００２９】
１０，１０Ｂ  携帯端末
２０，２０Ｂ  筐体
２０２，２０２Ｂ  側面（表面）
２１，２１Ｂ  ケース
２２，２２Ｂ  カバー
２５  固定ねじ（固定部材）
２６，２６Ｂ  孔部
２６１  本体収容部（凹部）
３０  樹脂部
３１  本体
３２  腕部
３３  係合部
Ｈ１  深さ寸法
Ｈ２  端面高さ寸法
【図１】
2013123170.tif 000003
【図２】
2013123170.tif 000004
【図３】
2013123170.tif 000005
【図４】
2013123170.tif 000006
【図５】
2013123170.tif 000007
【図６】
2013123170.tif 000008